(57)【特許請求の範囲】
【請求項１】
建築、構築物の既存屋根上に既存の屋根下地、既存屋根材を補強する幅狭の長尺薄板状の補強材が少なくとも２つ以上の異なる垂木に復数本固定され、該補強材上に段葺き状の屋根材からなる新規屋根材が形成されていることを特徴とする屋根改修構造。
【発明の詳細な説明】
【０００１】
【産業上の利用分野】
本発明は建築、構築物の既存屋根を新規屋根で改修するための構造に関するものであり、さらに詳しくは、古くなった既存の垂木、野地板等の屋根下地、既存屋根材の強度を向上する補強材を配設して、建物の強度を向上させた後に新規屋根を形成する屋根改修構造に関するものである。
【０００２】
【従来の技術】
従来、この種の屋根改修構造としては、古くなった既存の屋根をすべて撤去して、既存の垂木や野地板等の屋根下地に新規屋根を形成する構造や、既存の屋根材上に直に、もしくは、新規垂木等の屋根下地やルーフィング等の防水シートを介して新規屋根材を取り付ける構造が一般的であった。
【０００３】
【発明が解決しようとする課題】
しかしながら、このような改修構造では古くなった既存屋根材と新規屋根材を交換することや、傷んだ既存の屋根材上に新規屋根材を形成して、既存屋根を隠蔽することの技術思想のみであり、古くなった建物の既存の屋根下地、躯体、あるいは既存屋根材を補強し、強度を向上させる技術思想は全く考慮に入れられていなかった。このため、改修後の建物の屋根下地や躯体には負担が係り、強度的に弱く、特に耐震性に極端に劣り、地震等の発生で新規屋根材が脱落したり、屋根下地、躯体の破損、建物の崩壊等の被害が発生することもあった。
【０００４】
【課題を解決するための手段】
本発明はこのような欠点を除去するため、既存の屋根を新規屋根材で改修する前に、既存の躯体、屋根下地、既存の屋根材の強度を補強する補強材を、既存屋根上から配設し、建物全体の強度を向上させると共に、補強材を覆うように新規屋根材を形成する屋根改修構造を提案するものである。
【０００５】
【実施例】
以下に図面を用いて本発明に係る屋根改修構造の一実施例について詳細に説明する。図１（ａ）は上記改修構造の一例を示す斜視図、図１（ｂ）は断面図であり、Ａは既存建物の屋根下地、Ｂは既存屋根材である。
【０００６】
屋根下地Ａは図に示すように、例えば、垂木１、野地板２、アスファルトルーフィング３等からなり、この他にも梁、母屋（図示せず）の躯体も含まれるものである。さらに、建物が鉄骨造の際にはＣ型鋼材、Ｈ型鋼材、ハット型金属垂木等の鉄骨下地（図示せず）等の一般的な下地構造からなるものである。
【０００７】
既存屋根材Ｂは図に示すように、屋根下地Ａの外側面に施工された一般的屋根材からなるものであり、例えば図に示すような新生瓦、平葺き屋根材、段葺き屋根材、アルファルトシングル等の板状の屋根材を重ね張りしたものや、この他にも、瓦、瓦棒葺き屋根材（図示せず）等からなるものである。
【０００８】
また、４は補強材であり、図２に示すように既存屋根材Ｂ上から既存屋根材Ｂを介して屋根下地Ａ（図では垂木１）に、釘、スクリュービス、テクス、アンカー、アンカーボルト等の固定具αによって取り付け、古くなった屋根下地Ａおよび既存屋根材Ｂの強度を向上するものである。なお、図では一つの補強材４は少なくとも２つ以上の異なる垂木１に固定され、垂木１同士を連結することで、強度を向上するものである。
【０００９】
補強材４は図３（ａ）に示すように、例えば幅狭の長尺薄板状の鋼材、木材、合成樹脂材、あるはこれらの複合材等からなるものであり、図３（ｂ）に示すように、建物の屋根全周に連続して配設するのが好ましいものである。
【００１０】
Ｃは新規屋根材であり、例えば図４（ａ）、（ｂ）に示するような段葺き状の屋根材である。すなわち、新規屋根材Ｃは金属板（カラー鋼板、銅板、アルミニウム板、チタン板、ステンレス板、サンドイッチ鋼板、クラッド鋼板等）等をロール成形、プレス成形、押出成形等によって形成したものである。
【００１１】
さらに説明すると、新規屋根材Ｃは長尺板状であり、その幅方向一端部を化粧面５の下側、すなわち、裏面６側に略コ字状に屈曲して段差化粧面７と差込縁８とを形成した雄型連結部１０としたもので、化粧面５と段差化粧面７と差込縁８とから略コ字状の引っかけ溝９を形成したものである。
【００１２】
また、化粧面５の他端には化粧面５の上側に屈曲して断面略Ｕ字状に形成した前記差込縁８と嵌合する嵌合溝１１と、嵌合溝１１の先端をコ字状に折り返した嵌合縁１２と、嵌合縁１２の先端を下方に屈曲すると共に化粧面５と略平行で外方にＬ字状に屈曲して延長した固定片１３を形成した雌型連結部１４を形成したものである。
【００１３】
さらに、化粧面５の長手方向の両側端縁をそれぞれ裏面６側にハゼ状に屈曲した連結片１５を形成したものである。なお、図４（ａ）では長手方向の強度の強化と、外部からの雨水等が毛細管現象により内部に浸入することを防止する意味で嵌合溝１１と差込縁８にそれぞれ凹条１６を形成している。
【００１４】
また、Ｄは裏打材であり、図５に示すように長尺板状からなるものである。また、裏打材Ｄは既存屋根材Ｂ上に多数枚重合して敷設することによって、新規屋根材Ｃをバックアップし、屋根上の作業、積雪のように荷重が加えられても新規屋根材Ｃの変形を防止すると共に、断熱層、調湿層、防火層、防音層として機能するものである。
【００１５】
裏打材Ｄの素材としてはシージングボード、シージングインシュレーションボート、プラスチックフォーム（ウレタンフォーム、ヌレートフォーム、フェノールフォーム等）パーチクルボード、木質複合板、木毛セメント板、コンポージットパネル（コンパネ）、石膏ボード、ＡＬＣ板、等からなるものである。
【００１６】
さらに説明すると、裏打材Ｄは水平方向では端面を当接すると共に、図１（ｂ）に示すのように、軒から棟方向では下段の裏打材Ｄ１  に長尺側面を重ね合わせ、階段状とすると共に既存屋根材Ｂとの間に三角形状の空隙βを形成するように固定するものである。この空隙βは新鮮な空気等の流通路として機能させることができ裏打材Ｄが有する断熱材、防音材、調湿材等の機能をさらに助長させると共に、結露を防止して屋根下地Ａ、既存屋根材Ｂ、新規屋根材Ｃの腐食防止に寄与するものである。
【００１７】
Ｅはアルファルトルーフィング等からなる防水シートであり、必要に応じて既存屋根材Ｂ上に敷設し、構造の防水性を強化するものである。
【００１８】
図６は屋根材Ａ同士の長手方向を接続する継手材Ｆであり、新規屋根材Ｃと同様な種類の素材を同等な成形法により形成したものであり、敷目板Ｇと嵌合板Ｈの２部材から形成したものである。
【００１９】
すなわち、敷目板Ｇは図６（ｂ）に示すように、新規屋根材Ｃの裏面６と当接すると共に、嵌合板Ｈを装着する敷目部１７と、敷目部１７の下辺を裏面側に屈曲した馳部１８と、必要に応じて敷目部１７の上辺を表面側に屈曲して形成した雨返部１９とから形成したものであり、かつ、図６（ａ）のイ−イ線端面図である図６（ｄ）に示すように、幅方向において、両側縁を表面側に折り返し、その先端を再び折り返して壷状とした係止部２０と、係止部２０の両側縁を延長した延長部２１と、延長部２１の先端を表面側に折り返して形成した延長舌片２２とから構成されたものである。
【００２０】
なお、この端面形状は敷目部１７のみならず、馳部１８から雨返部１９にかけてほぼ同一とすることが可能である。すなわち敷目板Ｇはロールフォーミング等により連続的に成形することも可能であり、コストを下げた生産ができるものである。また図６では、上下方向の連結の強化のために、馳部１８の略中央部分を延長して馳舌片１８ａを形成している。
【００２１】
嵌合板Ｈは図６（ｃ）に示すように、底面２３の左右側辺を折り返して係止舌片２４を形成して出合い袋状とした断面形状のものであり、図６（ｄ）に示すように新規屋根材Ｃの化粧面５の両側縁に設けた連結片１５を嵌合、係止するものである。（なお、図６（ｄ）では新規屋根材Ｃを点線で示した。）さらに説明すると嵌合板Ｈは敷目板Ｇの敷目部１７において、図６（ｄ）に示すように、両端を係止部２０によって係止されることによって一体化するものである。
【００２２】
次に、本発明に係る屋根改修構造の施工方法について説明する。先ず、図２に示すように、新生瓦からなる既存屋根材Ｂ上に補強材４を適宜ピッチで、軒部から棟部まで順次、連続して配設、固定し、図３（ｂ）に示すように、既存の屋根下地Ａおよび既存屋根材Ｂの強度を補強し、向上させる。
【００２３】
そして、図１に示すように、補強材４上に必要に応じて防水シートＥを全面に敷設する。次に、下段の裏打材Ｂ１  を防水シートＥ上に敷設すると共に、下段に位置する裏打材Ｂ１  上に下段の屋根材Ａ１  を載置し、屋根材Ａ１  の固定片１３上から釘等の固定具αで裏打材Ｂ１  を介して屋根下地Ａに固定する。
【００２４】
次に上段の裏打材Ｂ２  の一端部を下段の屋根材Ａ１  の固定片１３上に載置すると共に、下段の屋根材Ａ１  の嵌合溝１１内に上段の屋根材Ａ２  の差込縁８を嵌合、係止し、上段の裏打材Ｂ２  上に上段の屋根材Ａ２  が載置される。これらの作業を順次軒方向から棟方向まで行うことにより、既存屋根上に新規屋根を形成するものである。
【００２５】
以上説明したのは、本発明に係る屋根改修構造の一実施例であり、図７、図８に示すような改修構造としたり、改修のための部材を用いることもできる。
【００２６】
すなわち、図７（ａ）は補強材４を短尺の幅狭状としたものであり、適宜ピッチもしくはランダムピッチで、既存屋根材Ｂ上の全面、もしくは一部分に配設し、異なる垂木１に固定した構造としたものである。
【００２７】
図７（ｂ）は図３（ａ）に示すような長尺の補強材４を、斜め方向に沿って、既存屋根材Ｂ上に配設固定した構造としたもの、図８（ａ）、（ｂ）は補強材４を互いにクロスさせた構造としたもので、異なる垂木１同士に筋交い的に連結し、強度を向上するものである。特に図８（ｂ）の補強材４は広幅としたものである。
【００２８】
【発明の効果】
以上説明したように本発明に係る屋根改修構造によれば、従来の欠点を解決し、（１）既存の躯体、既存の屋根下地、既存の屋根材の強度を補強する補強材を、既存屋根材上から配設するので、建物全体の強度を向上させ、地震に強い構造となる。（２）既存屋根材を解体する必要がないので、施工工数を省略できると共に、工期を大幅に短縮することができ、しかも施工中の居住に何等支障を来さない。（３）既存屋根材上に直接新規屋根材を形成するので、施工が簡単でコストを節約できる。（４）既存屋根材と新規屋根材の２重壁構造となり、断熱性、防音性、防火性に富む構造となる。（５）新規屋根材は既存の屋根下地に直接固定されるので、容易には脱落しない。等の特徴、効果がある。
【図面の簡単な説明】
【図１】本発明に係る屋根改修構造の代表例を示す説明図である。
【図２】補強材の施工例を示す説明図である。
【図３】補強材の例を示す説明図である。
【図４】新規屋根材の一例を示す説明図である。
【図５】裏打材の一例を示す説明図である。
【図６】継手材の一例を示す説明図である。
【図７】本発明に係る屋根改修構造のその他の例を示す説明図である。
【図８】本発明に係る屋根改修構造のその他の例を示す説明図である。
【符号の説明】
α  固定具
β  空隙
Ａ  屋根下地
Ｂ  既存屋根材
Ｃ  新規屋根材
Ｄ  裏打材
Ｅ  防水シート
Ｆ  継手材
Ｇ  敷目板
Ｈ  嵌合板
Ｉ  吊り子
Ｊ  パッキング体
１  垂木
２  野地板
３  ルーフィング
４  補強材
５  化粧面
６  裏面
７  段差化粧面
８  差込縁
９  引っかけ溝
１０  雄型連結部
１１  嵌合溝
１２  嵌合縁
１３  固定片
１４  雌型連結部
１５  連結片
１６  凹条
１７  敷目部
１８  馳部
１８ａ  馳舌片
１９  雨返部
２０  係止部
２１  延長部
２２  延長舌片
２３  底面
２４  係止舌片
【図１】
0003604093.tif 000002
【図２】
0003604093.tif 000003
【図３】
0003604093.tif 000004
【図４】
0003604093.tif 000005
【図５】
0003604093.tif 000006
【図６】
0003604093.tif 000007
【図７】
0003604093.tif 000008
【図８】
0003604093.tif 000009